(57)【要約】【課題】  複数の通信チャネルを使用可能な通信システムにおいて、各通信端末が送信する識別情報を受信可能な設定器、およびこれを用いた通信システムを提供する。【解決手段】  設定器Ａにおいて、通信部３２は、通信端末の各々が所定の周期毎に無線送信する自端末の識別情報を、複数の通信チャネルから少なくとも１つの通信チャネルを選択的に用いて受信し、表示部３３は、通信部３２が受信した通信端末の各々の識別情報を表示し、通信部３２は、表示部３３に表示された通信端末の各々の識別情報のうち、操作部３４の操作によって選択された識別情報を付与された通信端末との間で無線通信を行う。【選択図】図１
2014072730.tif 000002
【特許請求の範囲】
【請求項１】
固有の識別情報を付与された通信端末が互いに通信を行う通信システムに用いられる設定器であって、
複数の通信チャネルを有して前記通信端末と無線通信を行う通信部と、
前記通信部が受信した情報を表示する表示部と、
ユーザによって操作される操作部とを備え、
前記通信部は、前記通信端末の各々が所定の周期毎に無線送信する前記識別情報を、複数の前記通信チャネルから少なくとも１つの前記通信チャネルを選択的に用いて受信し、
前記表示部は、前記通信部が受信した前記通信端末の各々の前記識別情報を表示し、
前記通信部は、前記表示部に表示された前記通信端末の各々の前記識別情報のうち、前記操作部の操作によって選択された前記識別情報を付与された前記通信端末との間で無線通信を行う
ことを特徴とする設定器。
【請求項２】
前記通信部は、複数の前記通信チャネルのうち、予め決められたいずれか１つの前記通信チャネルを用いて、前記通信端末から前記識別情報を受信することを特徴とする請求項１記載の設定器。
【請求項３】
前記通信部は、複数の前記通信チャネルの各々を順次用いて、前記通信端末から前記識別情報を受信することを特徴とする請求項１記載の設定器。
【請求項４】
前記表示部は、前記通信部が受信した前記通信端末の各々の前記識別情報を、前記通信部が受信したときの電波強度が高い順に表示することを特徴とする請求項１乃至３いずれか記載の設定器。
【請求項５】
前記表示部は、前記通信部が受信した前記通信端末の各々の前記識別情報のうち、前記通信部が受信したときの受信強度が閾値以上である前記識別情報のみを表示することを特徴とする請求項１乃至４いずれか記載の設定器。
【請求項６】
前記通信部は、特定の方向に指向性を有するアンテナを介して、前記通信端末と無線通信を行うことを特徴とする請求項１乃至５いずれか記載の設定器。
【請求項７】
固有の識別情報を付与されて互いに通信を行う複数の通信端末と、前記通信端末と無線通信を行う設定器とを備え、
前記通信端末は、所定の周期毎に自端末の前記識別情報を無線送信し、
前記設定器は、複数の通信チャネルを有して前記通信端末と無線通信を行う通信部と、前記通信部が受信した情報を表示する表示部と、ユーザによって操作される操作部とを備え、前記通信部は、前記通信端末の各々が所定の周期毎に無線送信する前記識別情報を、複数の前記通信チャネルから少なくとも１つの前記通信チャネルを選択的に用いて受信し、前記表示部は、前記通信部が受信した前記通信端末の各々の前記識別情報を表示し、前記通信部は、前記表示部に表示された前記通信端末の各々の前記識別情報のうち、前記操作部の操作によって選択された前記識別情報を付与された前記通信端末との間で無線通信を行う
ことを特徴とする通信システム。
【請求項８】
前記設定器の前記通信部は、前記操作部の操作によって選択された前記識別情報を付与された前記通信端末に対して、端末確認要求を送信し、
前記通信端末は、前記端末確認要求を受信したことを視覚的に報知する報知部、または前記端末確認要求を受信したことを聴覚的に報知する報知部を備える
ことを特徴とする請求項７記載の通信システム。
【発明の詳細な説明】
【技術分野】
【０００１】
本発明は、設定器、およびこれを用いた通信システムに関するものである。
【背景技術】
【０００２】
従来、固有の識別情報を付与された複数の通信端末が、識別情報によって互いに紐付けされて、通信を行う通信システムがある。そして、各通信端末は、ユーザが操作する設定器との間で無線通信を行うことによって、各種設定がなされる。
【０００３】
例えば、各通信端末は、一定周期で、自端末の識別情報（ビーコン信号）を無線送信する。設定器は、この識別情報を受信することによって、各通信端末の識別情報を取得する。そして、設定器は、取得した各通信端末の識別情報を表示し、ユーザ操作によって設定対象とする通信端末を選択する。設定器は、この設定対象とした通信端末との間で無線通信を行うことによって、各通信端末に各種設定を行う（例えば、特許文献１参照）。
【先行技術文献】
【特許文献】
【０００４】
【特許文献１】特開２００４−１４６８８７号公報
【発明の概要】
【発明が解決しようとする課題】
【０００５】
しかしながら、設定器と通信端末との間で識別情報の授受を一定周期で行う上記特許文献１の無線システムでは、複数の通信チャネルを用いる構成は開示されていない。
【０００６】
本発明は、上記事由に鑑みてなされたものであり、その目的は、複数の通信チャネルを使用可能な通信システムにおいて、各通信端末が送信する識別情報を受信可能な設定器、およびこれを用いた通信システムを提供することにある。
【課題を解決するための手段】
【０００７】
本発明の設定器は、固有の識別情報を付与された通信端末が互いに通信を行う通信システムに用いられる設定器であって、複数の通信チャネルを有して前記通信端末と無線通信を行う通信部と、前記通信部が受信した情報を表示する表示部と、ユーザによって操作される操作部とを備え、前記通信部は、前記通信端末の各々が所定の周期毎に無線送信する前記識別情報を、複数の前記通信チャネルから少なくとも１つの前記通信チャネルを選択的に用いて受信し、前記表示部は、前記通信部が受信した前記通信端末の各々の前記識別情報を表示し、前記通信部は、前記表示部に表示された前記通信端末の各々の前記識別情報のうち、前記操作部の操作によって選択された前記識別情報を付与された前記通信端末との間で無線通信を行うことを特徴とする。
【０００８】
この発明において、前記通信部は、複数の前記通信チャネルのうち、予め決められたいずれか１つの前記通信チャネルを用いて、前記通信端末から前記識別情報を受信することが好ましい。
【０００９】
この発明において、前記通信部は、複数の前記通信チャネルの各々を順次用いて、前記通信端末から前記識別情報を受信することが好ましい。
【００１０】
この発明において、前記表示部は、前記通信部が受信した前記通信端末の各々の前記識別情報を、前記通信部が受信したときの電波強度が高い順に表示することが好ましい。
【００１１】
この発明において、前記表示部は、前記通信部が受信した前記通信端末の各々の前記識別情報のうち、前記通信部が受信したときの受信強度が閾値以上である前記識別情報のみを表示することが好ましい。
【００１２】
この発明において、前記通信部は、特定の方向に指向性を有するアンテナを介して、前記通信端末と無線通信を行うことが好ましい。
【００１３】
本発明の通信システムは、固有の識別情報を付与されて互いに通信を行う複数の通信端末と、前記通信端末と無線通信を行う設定器とを備え、前記通信端末は、所定の周期毎に自端末の前記識別情報を無線送信し、前記設定器は、複数の通信チャネルを有して前記通信端末と無線通信を行う通信部と、前記通信部が受信した情報を表示する表示部と、ユーザによって操作される操作部とを備え、前記通信部は、前記通信端末の各々が所定の周期毎に無線送信する前記識別情報を、複数の前記通信チャネルから少なくとも１つの前記通信チャネルを選択的に用いて受信し、前記表示部は、前記通信部が受信した前記通信端末の各々の前記識別情報を表示し、前記通信部は、前記表示部に表示された前記通信端末の各々の前記識別情報のうち、前記操作部の操作によって選択された前記識別情報を付与された前記通信端末との間で無線通信を行うことを特徴とする。
【００１４】
この発明において、前記設定器の前記通信部は、前記操作部の操作によって選択された前記識別情報を付与された前記通信端末に対して、端末確認要求を送信し、前記通信端末は、前記端末確認要求を受信したことを視覚的に報知する報知部、または前記端末確認要求を受信したことを聴覚的に報知する報知部を備えることが好ましい。
【発明の効果】
【００１５】
以上説明したように、本発明では、複数の通信チャネルを使用可能な通信システムにおいて、各通信端末が送信する識別情報を受信できるという効果がある。
【図面の簡単な説明】
【００１６】
【図１】実施形態１の設定器の構成を示すブロック図である。
【図２】同上の設定器を用いた通信システムの構成を示す概略図である。
【図３】同上の親端末の構成を示すブロック図である。
【図４】同上の子端末の構成を示すブロック図である。
【図５】（ａ）〜（ｃ）同上の表示部の表示形態を示す平面図である。
【発明を実施するための形態】
【００１７】
以下、本発明の実施の形態を図面に基づいて説明する。
【００１８】
（実施形態１）
図２は、本実施形態の通信システムの構成を示し、複数の通信端末Ｔ（ＴＭ、ＴＳ１〜ＴＳｎ）が互いに無線通信を行う。複数の通信端末Ｔのうち、１台は親端末として機能する通信端末ＴＭを構成し、残りのｎ台は、子端末として機能する通信端末ＴＳを構成する。以降、通信端末ＴＭを親端末ＴＭと称し、通信端末ＴＳを子端末ＴＳと称す。さらに、ｎ台の子端末ＴＳを区別する場合、子端末ＴＳ１，ＴＳ２，ＴＳ３，．．．，ＴＳｎと称す（ｎ≧１）。
【００１９】
通信端末Ｔの各々は、固有の識別情報（端末ＩＤ）が予め付与されている。親端末ＴＭは、識別情報Ｍが付与されており、子端末ＴＳ１，ＴＳ２，ＴＳ３，．．．，ＴＳｎのそれぞれは、識別情報Ｓ１，Ｓ２，Ｓ３，．．．，Ｓｎが付与されている。
【００２０】
親端末ＴＭは、図３に示すように、記憶部１１と、通信部１２と、報知部１３とを備える。記憶部１１は、自端末（親端末ＴＭ）の識別情報Ｍ、および自端末と通信を行う子端末ＴＳ１〜ＴＳｎの各識別情報Ｓ１〜Ｓｎのデータが格納されている。通信部１２は、ｍ個の通信チャネルＣＨ１〜ＣＨｍを用いて、無線通信が可能である（ｍ≧２）。
【００２１】
子端末ＴＳは、図４に示すように、記憶部２１と、通信部２２と、報知部２３とを備える。記憶部２１は、自端末（子端末ＴＳ）の識別情報（Ｓ１またはＳ２またはＳ３，．．．またはＳｎ）、および自端末と通信を行う親端末ＴＭの識別情報Ｍのデータが格納されている。通信部２２は、ｍ個の通信チャネルＣＨ１〜ＣＨｍを用いて、無線通信が可能である。
【００２２】
そして、本通信システムの親端末ＴＭと子端末ＴＳ１〜ＴＳｎとは、通信チャネルＣＨ１〜ＣＨｍのうち、通信チャネルＣＨ１を除く通信チャネルＣＨ２〜ＣＨｍを用いて、互いに無線通信を行う。例えば、親端末ＴＭは、子端末ＴＳ１〜ＴＳｎの各動作を制御する制御要求を子端末ＴＳ１〜ＴＳｎへ送信する。そして、制御要求に基づく動作を完了した子端末ＴＳ１〜ＴＳｎは、応答信号を親端末ＴＭへ返送する。また、親端末ＴＭは、子端末ＴＳ１〜ＴＳｎの各動作を監視する監視要求を子端末ＴＳ１〜ＴＳｎへ送信する。そして、監視要求を受信した子端末ＴＳ１〜ＴＳｎは、自端末の状態を通知する状態通知を親端末ＴＭへ返送する。
【００２３】
また、子端末ＴＳの記憶部２１に他の子端末ＴＳの識別情報のデータを格納することによって、子端末ＴＳ同士の無線通信も可能である。
【００２４】
このように、通信端末Ｔ間の通信は、記憶部１１，２１に通信先となる他の通信端末Ｔの識別情報を互いに登録することによって、通信端末Ｔ同士が紐付けされている。
【００２５】
次に、通信端末Ｔに対して、各種設定を行う設定器Ａについて説明する。この設定器Ａを用いた通信端末Ｔの設定処理は、通信端末Ｔの新規設置時、既設の通信端末Ｔの設定変更時等に行われる。
【００２６】
設定器Ａは、図１に示すように、記憶部３１と、通信部３２と、表示部３３と、操作部３４とを備える。
【００２７】
記憶部３１は、自端末と通信を行う通信端末Ｔの各識別情報のデータが格納されている。通信部３２は、ｍ個の通信チャネルＣＨ１〜ＣＨｍを用いて、無線通信が可能である。表示部３３は、液晶画面等で構成される。操作部３４は、スイッチ、ボタン等で構成される。
【００２８】
次に、設定器Ａが、通信端末Ｔの識別情報を取得する動作について説明する。設定器Ａは、例えば、ユーザが携行可能に構成されている。
【００２９】
まず、通信端末Ｔ（親端末ＴＭ、子端末ＴＳ１〜ＴＳｎ）は、定期的に、自端末の識別情報（ビーコン信号）を無線送信する。このとき、本通信システム内の通信端末Ｔは、通信チャネルＣＨ１のみを用いて、自端末の識別情報を無線送信する。すなわち、通信チャネルＣＨ１〜ＣＨｍのうち、いずれか１つの通信チャネル（この場合、通信チャネルＣＨ１）を、識別情報の無線送信に用いる通信チャネルとして予め決めている。
【００３０】
設定器Ａは、操作部３４がユーザに操作されることによって、識別情報受信モードに移行する。識別情報受信モードにおける通信部３２は、通信チャネルＣＨ１のみを用いた受信待機状態になり、各通信端末Ｔから識別情報を受信することによって、各通信端末Ｔの識別情報を取得する。そして、設定器Ａの表示部３３は、取得した各通信端末Ｔの識別情報を表示する。表示部３３は、図５（ａ）に示すように、取得した各通信端末Ｔの識別情報をテーブル形式で表示する。
【００３１】
また、図５（ｂ）に示すように、表示部３３に表示される各通信端末Ｔの識別情報は、通信部３２が受信したときの電波強度（ＲＳＳＩ：Received Signal StrengthIndication）が高い順にソート表示してもよい。一般に、識別情報を受信した時の電波強度が高いほど、この識別情報を送信した通信端末Ｔが、設定器Ａの近くに存在するといえる。したがって、表示部３３は、設定器Ａの近くに存在する通信端末Ｔの識別情報を上位に表示しており、ユーザは、設定器Ａから各通信端末Ｔまでの距離を把握しやすくなる。
【００３２】
また、図５（ｃ）に示すように、表示部３３に表示される各通信端末Ｔの識別情報は、通信部３２が受信した識別情報のうち、通信部３２が受信したときの受信強度が、予め決められた閾値以上である識別情報のみを表示してもよい。この場合、設定器Ａから遠くに存在する通信端末Ｔの識別情報は表示されず、設定器Ａの近くに存在する通信端末Ｔの識別情報のみを表示するので、ユーザは、設定器Ａが確実に通信可能な通信端末Ｔを把握しやすくなる。
【００３３】
本通信システムでは、複数の通信チャネルＣＨ１〜ＣＨｍのうち、予め決められた１つの通信チャネルＣＨ１のみを用いて、通信端末Ｔ→設定器Ａにおける識別情報の授受を行う。すなわち、複数の通信チャネルＣＨ１〜ＣＨｍを使用可能な通信システムにおいて、設定器Ａは、各通信端末Ｔが定期的に送信する識別情報を受信することができる。また、設定器Ａは、予め決められた通信チャネルＣＨ１のみで、識別情報の受信処理を実行すればよいので、識別情報の受信処理を簡略化できる。
【００３４】
なお、通信端末Ｔが識別情報を送信する通信チャネルは、通信システム毎に異なってもよい。この場合、設定器Ａは、識別情報を受信する通信チャネルを、通信対象の通信システム毎に切り替える。この通信チャネルの切替は、例えば、操作部３４のユーザ操作によって行われる。
【００３５】
また、通信端末Ｔが、定期的に、端末の識別情報（ビーコン信号）を無線送信することによって、設定器Ａは、通信端末Ｔの各識別情報を取得することができる。したがって、ユーザは、通信端末Ｔの設置場所近傍に行くことなく、通信端末Ｔの識別情報を取得することができるので、高所等の近付きにくい場所に設置された通信端末Ｔの識別情報も容易に取得できる。
【００３６】
また、設定器Ａの通信部３２は、特定の方向に指向性を有するアンテナを介して、通信端末Ｔと無線通信を行ってもよい。この場合、通信部３２は、設定器Ａに対して特定の方向に位置する通信端末Ｔのみから識別情報を受信できる。したがって、ユーザは、特定の方向に位置する通信端末Ｔの識別情報のみを把握でき、設定器Ａの使い勝手が向上する。
【００３７】
そして、設定器Ａは、操作部３４がユーザに操作されることによって、設定信号送信モードに移行し、さらに、表示部３３に表示したいずれかの識別情報が選択される。次に、設定信号送信モードにおける通信部３２は、操作部３４の操作によって、この選択された識別情報を付与された通信端末Ｔに対して、通信チャネルＣＨ１（識別情報受信モードと同一の通信チャネル）を用いて、設定信号を無線送信し、通信端末Ｔの各種設定を行う。
【００３８】
例えば、設定信号送信モードにおける通信部３２は、選択された識別情報を付与された通信端末Ｔに対して、通信チャネルＣＨ１を用いて、紐付け設定要求を送信する。紐付け設定要求とは、紐付け設定要求の送信先となる通信端末Ｔに対して、この送信先となる通信端末Ｔに紐付けする他の通信端末Ｔを指示する設定信号である。
【００３９】
設定器Ａが、親端末ＴＭに対して、子端末ＴＳ１〜ＴＳｎの各識別情報Ｓ１〜Ｓｎを含む紐付け設定要求を送信した場合、親端末ＴＭは、自端末の記憶部１１に識別情報Ｓ１〜Ｓｎのデータを格納する。すなわち、親端末ＴＭは、自端末に紐付けする通信端末として、子端末ＴＳ１〜ＴＳｎを設定する。
【００４０】
また、設定器Ａが、子端末ＴＳ１に対して、親端末ＴＭの識別情報Ｍを含む紐付け設定要求を送信した場合、子端末ＴＳ１は、自端末の記憶部２１に識別情報Ｍのデータを格納する。すなわち、子端末ＴＳ１は、自端末に紐付けする通信端末として、親端末ＴＭを設定する。
【００４１】
上述のように、親端末ＴＭと子端末ＴＳ１とは、設定器Ａからの紐付け設定要求によって、互いに通信可能に紐付けされる。親端末ＴＭと子端末ＴＳ２〜ＴＳｎとの紐付けも同様に行われる。
【００４２】
また、設定信号送信モードにおける設定器Ａは、操作部３４がユーザに操作されることによって、表示部３３に表示したいずれかの識別情報を選択し、通信部３２は、この選択した識別情報を送信先に設定した端末確認要求を送信する。
【００４３】
親端末ＴＭの報知部１３、子端末ＴＳ１〜ＴＳｎの報知部２３は、例えば、ＬＥＤ等の発光部からなり、端末確認要求を受信した通信端末Ｔの報知部１３，２３は、発光部の点滅、または点灯等によって、通信端末Ｔの位置を、ユーザに視覚的に報知する。したがって、ユーザは、設定器Ａの表示部３３に表示された各通信端末Ｔの識別情報と、実際に設置された通信端末Ｔとの対応を認識できる。
【００４４】
また、親端末ＴＭの報知部１３、子端末ＴＳ１〜ＴＳｎの報知部２３は、例えば、ブザー等の音声出力部からなってもよい。この場合、端末確認要求を受信した通信端末Ｔの報知部１３，２３は、音声出力部からブザー音を出力する等によって、通信端末Ｔの位置を、ユーザに聴覚的に報知する。
【００４５】
（実施形態２）
本実施形態の通信システムは、実施形態１と同様の構成を備えており、実施形態１と同様の構成には同一の符号を付して説明は省略する。
【００４６】
まず、識別情報受信モードの設定器Ａにおいて、通信部３２は、複数の通信チャネルＣＨ１〜ＣＨｍの各々を順次切り替える受信待機状態になり、通信端末Ｔから定期的に送信される識別情報を受信する。例えば、通信部３２は、通信チャネルＣＨ１を用いた識別情報の受信期間、通信チャネルＣＨ２を用いた識別情報の受信期間、通信チャネルＣＨ３を用いた識別情報の受信期間、．．．．．．、通信チャネルＣＨｍを用いた識別情報の受信期間を順次切り替える。
【００４７】
そして、通信端末Ｔは、自端末が識別情報を定期的に送信する際に用いる通信チャネル（以降、識別情報送信チャネルと称す）として、通信チャネルＣＨ１〜ＣＨｍのうちいずれか１つに予め設定されている。例えば、親端末ＴＭの識別情報送信チャネル：ＣＨ１、子端末ＴＳ１の識別情報送信チャネル：ＣＨ２、子端末ＴＳ２の識別情報送信チャネル：ＣＨ３、．．．．．に設定される。
【００４８】
設定器Ａは、通信チャネルＣＨ１〜ＣＨｍ毎の識別情報の受信期間を順次切り替えることによって、全ての通信チャネルＣＨ１〜ＣＨｍから識別情報を受信できるので、親端末ＴＭ、子端末ＴＳ１〜ＴＳｎの各識別情報を取得できる。
【００４９】
以降、設定器Ａの通信部３２は、設定信号送信モードにおいて各通信端末Ｔとの通信時に用いる通信チャネルを、各通信端末Ｔの識別情報送信チャネルと同一チャネルとし、各通信端末Ｔとの間で、紐付け設定要求等の通信を行う。
【００５０】
また、設定器Ａの通信部３２は、操作部３４がユーザに操作されることによって、チャネル設定要求を送信してもよい。チャネル設定要求とは、このチャネル変更要求の送信先となる通信端末Ｔに対して、識別情報送信チャネルの設定、変更を指示する設定信号である。
【００５１】
なお、他の動作は実施形態１と同様であり、説明は省略する。
【符号の説明】
【００５２】
Ａ  設定器
３１  記憶部
３２  通信部
３３  表示部
３４  操作部
【図１】
2014072730.tif 000003
【図２】
2014072730.tif 000004
【図３】
2014072730.tif 000005
【図４】
2014072730.tif 000006
【図５】
2014072730.tif 000007